(57)【要約】【課題】コンタクトレンズにおいて、装用感を向上させると共に、涙液の交換を適切に行うこと。【解決手段】平面図において略円形をなす光学部の周囲に環状の周辺部を有するコンタクトレンズであって、該周辺部のレンズ後面における径方向の少なくとも一部に、径方向断面でレンズ内方に凸となる湾曲面をもって周方向に延びる湾曲凸部を有し、前記光学部と前記周辺部の間に環状の中間部を有し、該中間部のレンズ後面における径方向の少なくとも一部に、径方向断面でレンズ内方に凹となる湾曲面をもって周方向に延びる湾曲凹部を有するコンタクトレンズとする。【選択図】図２
2007241233.tif 000002
【特許請求の範囲】
【請求項１】
平面図において略円形をなす光学部の周囲に環状の周辺部を有するコンタクトレンズであって、該周辺部のレンズ後面における径方向の少なくとも一部に、径方向断面でレンズ内方に凸となる湾曲面をもって周方向に延びる湾曲凸部を有し、前記光学部と前記周辺部の間に環状の中間部を有し、該中間部のレンズ後面における径方向の少なくとも一部に、径方向断面でレンズ内方に凹となる湾曲面をもって周方向に延びる湾曲凹部を有することを特徴とするコンタクトレンズ。
【請求項２】
レンズ後面の光学部曲率が６．５０ｍｍ以上９．００ｍｍ未満、コンタクトレンズ外径が９．０ｍｍ以上１０．０ｍｍ以下である請求項１に記載のコンタクトレンズ。
【請求項３】
レンズ端部におけるレンズ後面の光学部球面からの最大乖離量が０．０５〜０．１５ｍｍであり、径方向断面でレンズ端部からレンズの中心方向に０．４ｍｍ〜０．５ｍｍ内側である位置におけるレンズ後面の光学部球面からの最大乖離量が０．０１０ｍｍ〜０．０２５ｍｍである請求項２に記載のコンタクトレンズ。
【請求項４】
レンズ後面の光学部曲率が７．７５ｍｍ以上９．００ｍｍ未満、コンタクトレンズ外径が９．５ｍｍ以上１０．０ｍｍ以下である請求項１に記載のコンタクトレンズ。
【請求項５】
レンズ端部におけるレンズ後面の光学部球面からの最大乖離量が０．０５〜０．１５ｍｍであり、径方向断面でレンズ端部からレンズの中心方向に０．４ｍｍ〜０．５ｍｍ内側である位置におけるレンズ後面の光学部球面からの最大乖離量が０．０１５ｍｍ〜０．０２５ｍｍである請求項４に記載のコンタクトレンズ。
【請求項６】
レンズ後面の光学部曲率が６．５０ｍｍ以上７．７５ｍｍ未満、コンタクトレンズ外径が９．０ｍｍ以上９．５ｍｍ未満である請求項１に記載のコンタクトレンズ。
【請求項７】
レンズ端部におけるレンズ後面の光学部球面からの最大乖離量が０．０５〜０．１５ｍｍであり、径方向断面でレンズ端部からレンズの中心方向に０．４ｍｍ〜０．５ｍｍ内側である位置におけるレンズ後面の光学部球面からの最大乖離量が０．０１０ｍｍ〜０．０２０ｍｍである請求項６に記載のコンタクトレンズ。
【請求項８】
レンズの中心厚みが０．１ｍｍ〜０．２ｍｍであることを特徴と請求項１〜７のいづれかに記載のコンタクトレンズ。
【請求項９】
光学部径が６．０ｍｍ〜８．５ｍｍであることを特徴と請求項１〜８のいずれかに記載のコンタクトレンズ。
【請求項１０】
コンタクトレンズ材料の酸素透過性が１３６×１０−１１ｍＬＯ２・ｃｍ２／ｃｍ３・ｓｅｃ・ｍｍＨｇ〜１６４×１０−１１ｍＬＯ２・ｃｍ２／ｃｍ３・ｓｅｃ・ｍｍＨｇである、請求項１〜９のいずれかに記載のコンタクトレンズ。
【発明の詳細な説明】
【技術分野】
【０００１】
本発明は、光学領域を形成する略円形の中央部の周囲に環状の周辺部が設けられて、眼球の表面に装着されるコンタクトレンズに係り、特に、装用感の向上が図られ得る、新規な形状のコンタクトレンズに関するものである。
【背景技術】
【０００２】
従来から、近視や遠視、乱視、老視の矯正などの目的で、角膜の表面に重ね合わせて装着するコンタクトレンズが提供されているが、かかるコンタクトレンズでは、敏感な角膜表面や眼瞼に接して装着されることから、良好な装用感の実現が重要な課題である。
【０００３】
コンタクトレンズは、一般に、瞳孔に向かって外光を透過させる光学領域を形成する、平面図において略円形をなす光学部の外周側に、環状の周辺部が一体的に設けられており、かかる周辺部によって、コンタクトレンズが角膜上の所定位置に導かれると共に、コンタクトレンズと角膜の間の涙液交換が促されるようになっている。また、レンズ後面の光学部は、一般に、装用者の角膜形状に沿うように角膜表面と略同じ曲率をもつ。一般には、この曲率半径をベースカーブと呼ぶ。
ところが、従来構造のコンタクトレンズでは、個人差にもよるが装用時の異物感が残り、特にハードタイプのコンタクトレンズでは異物感が大きく、必ずしも良好な装用感を実現し得るものとは言えなかった。
【０００４】
また、特にハードタイプのコンタクトレンズでは、コンタクトレンズの装用状態下で、コンタクトレンズの一部が角膜に当接して局所的に応力が掛かかり、それによって大きな異物感が発生することから、場合によってはコンタクトレンズの装用を中断したり、苦痛や不快感を伴いながら装用をしなければならないという問題もあった。
【０００５】
さらに、コンタクトレンズは、視力補正を行うレンズであり、角膜表面に涙液を介して直接接触するが、角膜は無血管組織であり、角膜への酸素供給がほとんど涙液を介してなされていることから、角膜をコンタクトレンズが覆った場合、角膜への酸素供給は、レンズ材料中を酸素が透過することによるものと、瞬きによってコンタクトレンズが角膜上を移動したときにコンタクトレンズと角膜の間に介在する涙液が交換されることによるものとの２つの働きによってなされ、加えて、涙液の交換は、新たな酸素を供給するだけでなく、角膜の代謝物を排泄して角膜の機能を維持するはたらきもするため、極めて重要である。
【０００６】
上述のように従来のコンタクトレンズは、装用感や位置安定性に問題があり、この問題を解消するべく、周辺部の形状を工夫したハードコンタクトレンズがこれまでに開発されてきている。例えば、光学部から中間部、および周辺部にかけて、そのレンズ後面の曲率半径が順次大きくなるように変化させたコンタクトレンズが知られている（特許文献１参照）。
しかし、このコンタクトレンズは、レンズ装用時に涙液交換がスムーズに行われず、十分に快適な装用感が得られない。さらには、このコンタクトレンズは構造が複雑であり、製造コスト面においても不利であった。
また、例えば、円錐角膜の視力矯正のためのハードコンタクトレンズであって、角膜に接するレンズ後面の湾曲面の曲率を特定の割合で段階的に変化させたコンタクトレンズが知られている（特許文献２参照）。しかし、このコンタクトレンズは、通常の乱視眼の矯正に適用すると、レンズ装用時にがたつきを生じて患者が異物感を感じると共にレンズ位置が安定せず、よって、快適な装用感や適切な視力が得られなかった。
【特許文献１】特開昭６０―１１３２０８号公報
【特許文献２】特開２００３−１５０９４号公報
【発明の開示】
【発明が解決しようとする課題】
【０００７】
本発明は、装用時における異物感が軽減されて装用感が飛躍的に向上され得ると共に、レンズと角膜の間に介在する涙液の交換が適切になされ得る、新規な形状のコンタクトレンズを提供することにある。
【課題を解決するための手段】
【０００８】
上記課題を解決するため、本発明に係るコンタクトレンズは、平面図において略円形をなす光学部の周囲に環状の周辺部を有するコンタクトレンズであって、該周辺部のレンズ後面における径方向の少なくとも一部に、径方向断面でレンズ内方に凸となる湾曲面をもって周方向に延びる湾曲凸部を有し、前記光学部と前記周辺部の間に環状の中間部を有し、該中間部のレンズ後面における径方向の少なくとも一部に、径方向断面でレンズ内方に凹となる湾曲面をもって周方向に延びる湾曲凹部を有することを特徴とするコンタクトレンズである。
【発明の効果】
【０００９】
装用感を向上させると共に、涙液の交換を適切に行うことができる。
【発明を実施するための最良の形態】
【００１０】
発明者らは、角膜がその頂点から同芯円状に徐々に曲率が大きくなる形状であるという知見を基に、新たな技術思想をもってコンタクトレンズ各部位の形状の最適化を行った結果、従来のコンタクトレンズよりも装用感が大幅に改善され、全てのコンタクトレンズ装用者に対応できるデザインを有するコンタクトレンズを発明するに至った。
【００１１】
本発明は、平面図において略円形をなす光学部の周囲に環状の周辺部を有するコンタクトレンズにおいて、該周辺部のレンズ後面における径方向の少なくとも一部に、径方向断面でレンズ内方に凸となる湾曲面をもって周方向に延びる湾曲凸部を有し、前記光学部と前記周辺部の間に環状の中間部を有し、該中間部のレンズ後面における径方向の少なくとも一部に、径方向断面でレンズ内方に凹となる湾曲面をもって周方向に延びる湾曲凹部を形成したことを特徴としている。
【００１２】
本発明において、レンズ後面とは、装用状態でコンタクトレンズが眼球に接する側の面を指し、レンズ前面とはその反対面を指す。
【００１３】
以下、本発明をより具体的に明らかにするために、本発明の実施形態について、模式的に記した図面を参照しつつ、詳細に説明する。
【００１４】
図１は本発明に係るコンタクトレンズの一実施形態を示す概略平面図である。また、図２は、図１に示したコンタクトレンズのＡ−Ａ断面図である。  かかるコンタクトレンズは、全体として略球殻形状を有しており、眼球における角膜の表面に重ね合わせて使用されるようになっている。
【００１５】
なお、本実施形態のコンタクトレンズは、レンズ中心軸１が光軸とされており、このレンズ中心軸１回りの回転体形状とされていることから、図２においては、半径方向の縦断面だけを示しておく。
【００１６】
より詳細には、本発明に係るコンタクトレンズは、中央部分に平面図において略円形をなす光学部を有する。図１に示したコンタクトレンズにおいては、光学部２は、平面図において、レンズ中心軸１を中心とする円形状となっている。
【００１７】
また、レンズ後面の光学部２は、装着される角膜の表面に対して装用状態下で略相似形となるように、レンズ中心軸１上でレンズ後方（図２中の右方）に曲率中心が設定されて、角膜の曲率半径と略同一の曲率半径をもった円弧形の縦断面形状を有するベースカーブ面とされており、コンタクトレンズの装用状態下でレンズ後面と角膜の表面の間に形成される涙液層の層厚寸法が、全体に渡って略一定とされて、涙液層によるレンズ作用が可及的に回避されるようになっている。
なお、かかる光学部２は、装用者の眼に対する光学的効果が期待される領域であって、後述する中間部３との境界は、一般に、レンズ後面における曲率の変化点としてとらえることが出来るが、かかる境界が径方向に所定幅をもって形成されて、光学部２と中間部３を滑らかに繋ぐ接続部分等として形成される場合等、形状的に必ずしも明確である必要はない。
【００１８】
また、本発明のコンタクトレンズは、光学部の周囲に環状の周辺部を有し、該周辺部のレンズ後面における径方向の少なくとも一部に、径方向断面でレンズ内方に凸となる湾曲面をもって周方向に延びる湾曲凸部を有する。図１および図２に示した本発明に係るコンタクトレンズの例では、周辺部４は、平面図において、レンズ中心軸１を中心とする同心円で囲まれた環状となっている。かかる周辺部４のレンズ後面側は、装着される角膜の表面に対して外周側に行くに従って僅かに離隔して、コンタクトレンズの装用状態下でコンタクトレンズと角膜の間の涙液交換が促されるように、レンズ内方に凸となる湾曲凸部が形成されおり、レンズ前方に曲率中心が設定されて、曲率半径をもった円弧形の縦断面形状となっている。
なお、図１および図２に示した本発明に係るコンタクトレンズの例では、周辺部４の外周側に連接したコンタクトレンズの最外周部分に、縦断面形状において面取り状のレンズ後面を備えたエッジ部５が、平面図で円環形状をもって形成されており、縦断面形状において、略半円形状の外周端縁部でレンズ前面に接続されている。
【００１９】
また、本発明のコンタクトレンズは、前記光学部と前記周辺部の間に環状の中間部を有し、該中間部のレンズ後面における径方向の少なくとも一部に、径方向断面でレンズ内方に凹となる湾曲面をもって周方向に延びる湾曲凹部を有する。図１および図２に示した本発明に係るコンタクトレンズの例では、光学部２と周辺部４の間には、コンタクトレンズの径方向中間部分に位置して、中間部３が形成されている。この中間部３は、平面図において、レンズ中心軸１を中心とする円環形状となっており、この中間部３の内周側端縁部が光学部２の外周側端縁部に対して直接に連接されていると共に、その外周側端縁部が周辺部４の内周側端縁部に対して直接に連接されており、中間部３によって光学部２と周辺部４が一体的に接続されている。
【００２０】
さらに、中間部３には、レンズ後面側において、レンズ内方に凹となる湾曲凹部が形成されている。この湾曲凹部は、正面視において、レンズ中心軸を中心として同軸上に形成された円環形状とされており、この湾曲凹部のレンズ後面は、レンズ後方に曲率中心が設定され、角膜がその頂点から同芯円状に順次曲率が大ききなる形状であることに合わせて、コンタクトレンズの装用状態下でレンズ後面と角膜の表面の間に形成される涙液層の層厚寸法が、全体に渡って略一定となるように、光学部２のベースカーブを与える曲率半径よりも大きな曲率半径をもった円弧形の縦断面形状となっている。
【００２１】
さらに、中間部３の湾曲凹部の内周側端部は、光学部２の外周側端縁部に対して共通接線をもって接続されていると共に、中間部３の湾曲凹部の外周側端縁部は、周辺部４の湾曲凸部の内周側端縁部に対して共通接線をもって接続されている。これにより、光学部と中間部と周辺部の全体が、径方向縦断面において折れ点状部分等のない滑らかに連続した湾曲面として形成されているのである。
【００２２】
上述の如き形状を有する本実施形態のコンタクトレンズにおいては、角膜上への装用状態下で、周辺部４において、レンズと角膜の間の涙液交換が促されるように角膜表面に対する離隔を持ち、かつ、少なくとも光学部２と中間部３において、角膜がその頂点から同芯円状に順次曲率が大ききなる形状であることに合わせて近接し、レンズ後面と角膜の表面の間に形成される涙液層の層厚寸法が、全体に渡って略一定となる。
それ故、装着状態下で、コンタクトレンズが角膜上の有る一部分のみで接触することが無く、コンタクトレンズが涙液を介して角膜上の広範囲の面積で均等に近接した状態で装着されるため、異物感が大幅に軽減されて装用感が向上される。
また、装着状態下で眼瞼（図示せず）がコンタクトレンズの上下に被さったり、瞬きによってコンタクトレンズの全体に被さった場合には、眼瞼の押圧力がコンタクトレンズの前面側から及ぼされることにより、コンタクトレンズが角膜へ当接した場合であっても、少なくとも光学部２と中間部３に均等に分散され、コンタクトレンズの一部が角膜に当接して局所的に応力が掛かからず、異物感が軽減されることにより、装用感が向上され得るのである。
加えて、角膜の表面に対して僅かに離隔している周辺部４の湾曲凸部によって適量の涙液が効率的に取り込まれると共に、コンタクトレンズは角膜上に涙液を介して近接した状態で装着されているため、レンズ後面の光学部２および中間部３と角膜の表面の間に形成されている涙液は、コンタクトレンズによって遮られることなく移動をすることができ、これらによってレンズと角膜の間の涙液交換が適切に行われて角膜の機能維持をすると共に、装用感や使用性の向上も達成される。
【００２３】
次に、本発明のコンタクトレンズの好ましい第１の形態について説明する。
【００２４】
上記第１の形態は、レンズ後面の光学部曲率が６．５０ｍｍ以上９．００ｍｍ未満、コンタクトレンズ外径が９．０ｍｍ以上１０．０ｍｍ以下であることを特徴としている。
ここで、レンズ後面の光学部曲率とは、レンズ後面の光学部の曲率半径を意味し、コンタクトレンズ外径とは、平面図におけるレンズの最大直径（図１におけるコンタクトレンズ外径６）を指す。また、レンズ後面の光学部曲率は、ＩＳＯ１０３３８に示される試験方法により測定することができ、コンタクトレンズ外径は、ＩＳＯ９３３８に示される試験方法により測定することができる。
レンズ後面の光学部曲率が６．５０ｍｍ以上９．００ｍｍ未満であるコンタクトレンズに適する患者がコンタクトレンズを装用する場合、コンタクトレンズ外径を９．０ｍｍ以上１０．０ｍｍ以下にすることにより、装用下において、角膜に対してレンズが可動できる範囲が過剰にならないように制限することができ、コンタクトレンズの角膜上での変位を抑えられて、かかる変位に起因する異物感が軽減されることにより、装用感が向上される。また、コンタクトレンズと上眼瞼および下眼瞼との間隔が狭くなることによって、開眼時において上眼瞼にレンズ上部が接触している機会が増加するため瞬目時に上眼瞼とレンズ上部とが接触する機会が減り、瞬目により上眼瞼とレンズ上部とが接触して刺激を生じることが減り、装用感が向上される。また、レンズ後面の光学部曲率が６．５０ｍｍ以上９．００ｍｍ未満であるコンタクトレンズに適する患者がコンタクトレンズを装用する場合、コンタクトレンズ外径を９．０ｍｍ未満にすると、装用下において、角膜に対してレンズが可動できうる範囲が大きくなり、コンタクトレンズの角膜上での変位を抑えることができず、かかる変位に起因する異物感が増加する傾向にある。また、コンタクトレンズと上眼瞼および下眼瞼との間隔が広くなりすぎ、瞬目の度に上眼瞼とレンズ上部とが接触して刺激を生じ、装用感が悪化する傾向にある。
【００２５】
また、レンズ後面の光学部曲率が６．５０ｍｍ以上９．００ｍｍ未満であるコンタクトレンズに適する患者らに対して、コンタクトレンズを装用する場合、コンタクトレンズ外径６が１０．０ｍｍを超えると、装用下において、角膜に対してレンズが可動できうる範囲が小さくなりすぎ、角膜とレンズ間の涙液交換性が悪化して老廃物が蓄積されやすく、また、これによって角膜にレンズが固着しやすくなり、異物感が増大する傾向にある。
【００２６】
また、レンズ後面の光学部曲率が６．５０ｍｍ以上９．００ｍｍ未満であるコンタクトレンズに適する患者がコンタクトレンズを装用する場合、コンタクトレンズ外径を９．０ｍｍ以上１０．０ｍｍ以下にすることにより、コンタクトレンズ外径が９．０ｍｍ未満である場合よりも、レンズの重心をより角膜や水晶体側に寄せることができ、これによってコンタクトレンズと角膜とを間に涙液を保ちながら、より近接させることができ、コンタクトレンズの角膜上での変位を抑えられて、かかる変位に起因する異物感を軽減させることができる。
【００２７】
さらに、上記第１の形態においては、レンズ端部におけるレンズ後面の光学部球面からの最大乖離量が０．０５ｍｍ〜０．１５ｍｍであり、径方向断面でレンズ端部からレンズの中心方向に０．４ｍｍ〜０．５ｍｍ内側である位置における光学部球面からの最大乖離量が０．０１０ｍｍ〜０．０２５ｍｍであることが好ましい。
【００２８】
レンズ端部におけるレンズ後面の光学部球面からの最大乖離量とは、図２にレンズ端部におけるレンズ後面の光学部球面からの最大乖離量７として示すとおり、レンズ端部における光学部のレンズ中心軸と平行な直線１０とレンズのベースカーブの延長線１１との交点と、前記直線１０と周辺部の湾曲凹部の延長線との交点の２点間の直線距離を指す。
レンズ端部におけるレンズ後面の光学部球面からの最大乖離量は、表面形状測定器（フォームタリサーフ、ランクテーラーホブソン社製）や接触針で被測定物表面の形状を拡大トレースする方法などにより、測定することが出来る。
【００２９】
レンズ端部における光学部球面からの最大乖離量が０．０５ｍｍ未満の場合は、角膜とレンズ端部の隙間量が少な過ぎるため、角膜の機能を維持するために十分な量の涙液を供給したり涙液を交換することができないことや、瞬目によりレンズが角膜上を移動した際に、レンズ端部が角膜と接触し易くなり、角膜へキズをつけてしまう可能性がある。また、レンズ端部が角膜と接触した際に、異物感を感じて装用感が悪くなる傾向にある。
【００３０】
また、レンズ端部における光学部球面からの最大乖離量７が０．１５ｍｍを超える場合は、角膜とレンズ端部の隙間量が多すぎるため、レンズ周辺に存在する涙液をコンタクトレンズと角膜の間に過剰に取り込んでしまい、レンズ周辺の角膜上の涙液が不足して乾燥状態となり、ステイニングと呼ばれる角膜キズ付き傷害などが生じやすく、更には、角膜とレンズ端部の乖離量が大きいため、瞬目時に眼瞼に接触した際に異物感を感じて装用感が悪くなる傾向にある。
【００３１】
また、径方向断面でレンズ端部からレンズの中心方向に０．４ｍｍ〜０．５ｍｍ内側である位置におけるレンズ後面の光学部球面からの最大乖離量とは、の径方向断面でレンズ端部からレンズの中心方向に０．４ｍｍ〜０．５ｍｍ内側である位置におけるレンズ後面の光学部球面からの最大乖離量９として図２に示すとおり、レンズ端部からレンズの中心方向に０．４ｍｍ〜０．５ｍｍの間の範囲において、光学部のレンズ中心軸と平行な線１２とレンズのベースカーブの延長線との交点と、かかる線とレンズ後面との交点を求めて、この２点間の直線距離により現される。
【００３２】
径方向断面でレンズ端部からレンズの中心方向に０．４ｍｍ〜０．５ｍｍ内側である位置における光学部球面からの最大乖離量を０．０１０ｍｍ〜０．０２５ｍｍとすることにより、レンズ装用状態下で、角膜がその頂点から同芯円状に順次曲率が大きくなる形状であることに合わせてレンズが近接するレンズ後面の形状となり、レンズ後面と角膜の表面の間に形成される涙液層の層厚寸法が、全体に渡って略一定となり、コンタクトレンズ装着状態下で、コンタクトレンズが角膜上の有る一部分のみで接触することが無く、コンタクトレンズが涙液を介して角膜上の広範囲の面積で均等に近接した状態で装着されるため、異物感が大幅に軽減されて装用感が向上され得る。
【００３３】
また、装着状態下で眼瞼（図示せず）がコンタクトレンズの上下に被さったり、瞬きによってコンタクトレンズの全体に被さった場合には、眼瞼の押圧力がコンタクトレンズの前面側から及ぼされることによりコンタクトレンズが角膜へ当接した場合であっても、応力が少なくとも光学部と中間部に均等に分散され、コンタクトレンズの一部が角膜に当接して局所的に応力がかかることがなく、異物感が軽減されることにより、特に装用感が向上される。
【００３４】
径方向断面でレンズ端部からレンズの中心方向に０．４ｍｍ〜０．５ｍｍ内側である位置におけるレンズ後面の光学部球面からの最大乖離量は、レンズ端部におけるレンズ後面の光学部球面からの最大乖離量と同様、表面形状測定器（フォームタリサーフ、ランクテーラーホブソン社製）や接触針で被測定物表面の形状を拡大トレースする方法などにより、測定することが出来る。
【００３５】
次に、本発明のコンタクトレンズの好ましい第２の形態について説明する。
上記第２の形態は、レンズ後面の光学部曲率が７．７５ｍｍ以上９．００ｍｍ未満、コンタクトレンズ外径が９．５ｍｍ以上１０．０ｍｍ以下であることを特徴としている。
【００３６】
レンズ後面の光学部曲率が７．７５ｍｍ以上９．００ｍｍ未満であるコンタクトレンズに適する患者がコンタクトレンズを装用する場合、コンタクトレンズ外径を９．５ｍｍ以上１０．０ｍｍ以下にすることにより、装用下において、角膜に対してレンズが可動できる範囲が過剰にならないように制限することができ、コンタクトレンズの角膜上での変位を抑えられて、かかる変位に起因する異物感が軽減されることにより、装用感が向上される。また、コンタクトレンズと上眼瞼および下眼瞼との間隔が狭くなることによって、開眼時において上眼瞼にレンズ上部が接触している機会が増加するため瞬目時に上眼瞼とレンズ上部とが接触する機会が減り、瞬目により上眼瞼とレンズ上部とが接触して刺激を生じることが減り、装用感が向上される。
【００３７】
また、レンズ後面の光学部曲率が７．７５ｍｍ以上９．００ｍｍ未満であるコンタクトレンズに適する患者がコンタクトレンズを装用する場合、コンタクトレンズ外径を９．５ｍｍ未満にすると、装用下において、角膜に対してレンズが可動できうる範囲が大きくなり、コンタクトレンズの角膜上での変位を抑えることができず、かかる変位に起因する異物感が増加する傾向にある。また、コンタクトレンズと上眼瞼および下眼瞼との間隔が広くなりすぎ、瞬目の度に上眼瞼とレンズ上部とが接触して刺激を生じ、装用感が悪化する傾向にある。
【００３８】
また、レンズ後面の光学部曲率が７．７５ｍｍ以上９．００ｍｍ未満であるコンタクトレンズに適する患者らに対して、コンタクトレンズを装用する場合、コンタクトレンズ外径６が１０．０ｍｍを超えると、装用下において、角膜に対してレンズが可動できうる範囲が小さくなりすぎ、角膜とレンズ間の涙液交換性が悪化して老廃物が蓄積されやすく、また、これによって角膜にレンズが固着しやすくなり、異物感が増大する傾向にある。
また、レンズ後面の光学部曲率が７．７５ｍｍ以上９．００ｍｍ未満であるコンタクトレンズに適する患者がコンタクトレンズを装用する場合、コンタクトレンズ外径を９．５ｍｍ以上１０．０ｍｍ以下にすることにより、コンタクトレンズ外径が９．５ｍｍ未満である場合よりも、レンズの重心をより角膜や水晶体側に寄せることができ、これによってコンタクトレンズと角膜とを間に涙液を保ちながら、より近接させることができ、コンタクトレンズの角膜上での変位を抑えられて、かかる変位に起因する異物感を軽減させることができる。
【００３９】
さらに、上記第２の形態においては、レンズ端部におけるレンズ後面の光学部球面からの最大乖離量が０．０５ｍｍ〜０．１５ｍｍであり、径方向断面でレンズ端部からレンズの中心方向に０．４ｍｍ〜０．５ｍｍ内側である位置における光学部球面からの最大乖離量が０．０１５ｍｍ〜０．０２５ｍｍであることが好ましい。
上述の第１の形態における場合と同様に、レンズ端部における光学部球面からの最大乖離量が０．０５ｍｍ未満の場合は、角膜とレンズ端部の隙間量が少な過ぎるため、角膜の機能を維持するために十分な量の涙液を供給したり涙液を交換することができなくなったり、瞬目によりレンズが角膜上を移動した際に、レンズ端部が角膜と接触し易くなり、角膜へキズをつけてしまう可能性がある。また、レンズ端部が角膜と接触した際に、異物感を感じて装用感が悪くなる傾向にある。
【００４０】
また、レンズ端部における光学部球面からの最大乖離量７が０．１５ｍｍを超える場合は、角膜とレンズ端部の隙間量が多すぎるため、レンズ周辺に存在する涙液をコンタクトレンズと角膜の間に過剰に取り込んでしまい、レンズ周辺の角膜上の涙液が不足して乾燥状態となり、ステイニングと呼ばれる角膜キズ付き傷害などが生じやすく、更には、角膜とレンズ端部の乖離量が大きいため、瞬目時に眼瞼に接触した際に異物感を感じて装用感が悪くなる傾向にある。
【００４１】
また、径方向断面でレンズ端部からレンズの中心方向に０．４ｍｍ〜０．５ｍｍ内側である位置における光学部球面からの最大乖離量を０．０１５ｍｍ〜０．０２５ｍｍとすることにより、レンズ装用状態下で、角膜がその頂点から同芯円状に順次曲率が大きくなる形状であることに合わせてレンズが近接するレンズ後面の形状となり、レンズ後面と角膜の表面の間に形成される涙液層の層厚寸法が、全体に渡って略一定となり、コンタクトレンズ装着状態下で、コンタクトレンズが角膜上の有る一部分のみで接触することが無く、コンタクトレンズが涙液を介して角膜上の広範囲の面積で均等に近接した状態で装着されるため、異物感が大幅に軽減されて装用感が向上され得る。
【００４２】
また、装着状態下で眼瞼（図示せず）がコンタクトレンズの上下に被さったり、瞬きによってコンタクトレンズの全体に被さった場合には、眼瞼の押圧力がコンタクトレンズの前面側から及ぼされることによりコンタクトレンズが角膜へ当接した場合であっても、応力が少なくとも光学部と中間部に均等に分散され、コンタクトレンズの一部が角膜に当接して局所的に応力がかかることがなく、異物感が軽減されることにより、特に装用感が向上される。
【００４３】
次に、本発明のコンタクトレンズの好ましい第３の形態について説明する。
【００４４】
上記第３の形態においては、レンズ後面の光学部曲率が６．５０ｍｍ以上７．７５ｍｍ未満、コンタクトレンズ外径が９．０ｍｍ以上９．５ｍｍ未満であることを特徴とする。
【００４５】
レンズ後面の光学部曲率が６．５０ｍｍ以上７．７５ｍｍ未満であるコンタクトレンズに適する患者がコンタクトレンズを装用する場合、コンタクトレンズ外径６を９．０ｍｍ以上９．５ｍｍ以下にすることにより、装用下において、角膜に対してレンズが可動できる範囲が過剰にならないように制限することができ、コンタクトレンズの角膜上での変位を抑えられて、かかる変位に起因する異物感が軽減されることにより、装用感が向上される。また、コンタクトレンズと上眼瞼および下眼瞼との間隔が狭くなることによって、開眼時において上眼瞼にレンズ上部が接触している機会が増加するため瞬目時に上眼瞼とレンズ上部とが接触する機会が減り、瞬目により上眼瞼とレンズ上部とが接触して刺激を生じることが減り、装用感が向上される。
【００４６】
また、レンズ後面の光学部曲率が６．５０ｍｍ以上７．７５ｍｍ未満であるコンタクトレンズに適する患者がコンタクトレンズを装用する場合、コンタクトレンズ外径を９．０ｍｍ未満にすると、装用下において、角膜に対してレンズが可動できうる範囲が大きくなり、コンタクトレンズの角膜上での変位を抑えることができず、かかる変位に起因する異物感が増加する傾向にある。また、コンタクトレンズと上眼瞼および下眼瞼との間隔が広くなりすぎ、瞬目の度に上眼瞼とレンズ上部とが接触して刺激を生じ、装用感が悪化する傾向にある。
【００４７】
また、レンズ後面の光学部曲率が６．５０ｍｍ以上７．７５ｍｍ未満コンタクトレンズに適する患者がコンタクトレンズを装用する場合、コンタクトレンズ外径６が９．５ｍｍを超えると、装用下において、角膜に対してレンズが可動できうる範囲が小さくなりすぎ、角膜とレンズ間の涙液交換性が悪化して老廃物が蓄積されやすく、また、これによって角膜にレンズが固着しやすくなり、異物感が増加する傾向にある。
【００４８】
また、レンズ後面の光学部曲率が６．５０ｍｍ以上７．７５ｍｍ未満であるコンタクトレンズに適する患者がコンタクトレンズを装用する場合、コンタクトレンズ外径を９．０ｍｍ以上９．５ｍｍ以下にすることによりレンズの重心をより角膜や水晶体側に寄せることができ、これによってコンタクトレンズと角膜とを間に涙液を保ちながら、より近接させることができ、コンタクトレンズの角膜上での変位を抑えられて、かかる変位に起因する異物感を軽減させることができる。
【００４９】
また、レンズ後面の光学部曲率は、前述したように、装着される角膜の表面に対して略相似形となるように定めるが、レンズ後面の光学部曲率が６．５０ｍｍ以上７．７５ｍｍ未満である患者らは、レンズ後面の光学部曲率が７．７５ｍｍ以上９．００ｍｍ未満である患者らに比べて角膜の曲率が小さいため、コンタクトレンズ外径が９．５ｍｍ以上のコンタクトレンズを装用すると装着や取り外しが困難となり、装用感や使用性が低下する傾向がある。
【００５０】
また、上記第３の形態においては、レンズ端部におけるレンズ後面の光学部球面からの最大乖離量が０．０５〜０．１５ｍｍであり、径方向断面でレンズ端部からレンズの中心方向に０．４ｍｍ〜０．５ｍｍ内側である位置におけるレンズ後面の光学部球面からの最大乖離量が０．０１０〜０．０２０ｍｍであることが好ましい。
【００５１】
上述の第１の形態における場合と同様に、レンズ端部におけるレンズ後面の光学部球面からの最大乖離量が０．０５ｍｍ未満の場合は、角膜とレンズ端部の隙間量が少な過ぎるため、角膜の機能を維持するために十分な量の涙液を供給したり涙液を交換することができなくなったり、瞬目によりレンズが角膜上を移動した際に、レンズ端部が角膜と接触し易くなり、角膜へキズをつけてしまう可能性がある。また、レンズ端部が角膜と接触した際に、異物感を感じて装用感が悪くなる傾向にある。
【００５２】
また、角膜へのレンズ端部におけるレンズ後面の光学部球面からの最大乖離量が０．１５ｍｍを超える場合は、角膜とレンズ端部の隙間が大きすぎるため、レンズ周辺に存在する涙液をコンタクトレンズと角膜の間に過剰に取り込んでしまい、レンズ周辺の角膜上の涙液が不足して乾燥状態となり、ステイニングと呼ばれる角膜キズ付き傷害などが生じやすく、更には、角膜とレンズ端部の乖離量が大きいため、瞬目時に眼瞼に接触した際に異物感を感じて装用感が悪くなる傾向にある。
【００５３】
また、径方向断面でレンズ端部からレンズの中心方向に０．４ｍｍ〜０．５ｍｍ内側である位置におけるレンズ後面の光学部球面からの最大乖離量を０．０１０ｍｍ〜０．０２０ｍｍとすることにより、レンズ装用状態下で、角膜がその頂点から同芯円状に順次曲率が大きくなる形状であることに合わせてレンズが近接するレンズ後面の形状となり、レンズ後面と角膜の表面の間に形成される涙液層の層厚寸法が、全体に渡って略一定となり、コンタクトレンズ装着状態下で、コンタクトレンズが角膜上の有る一部分のみで接触することが無く、コンタクトレンズが涙液を介して角膜上の広範囲の面積で均等に近接した状態で装着されるため、異物感が大幅に軽減されて装用感が向上される。
【００５４】
さらに、装着状態下で眼瞼（図示せず）がコンタクトレンズの上下に被さったり、瞬きによってコンタクトレンズの全体に被さった場合には、眼瞼の押圧力がコンタクトレンズの前面側から及ぼされることにより、コンタクトレンズが角膜へ当接した場合であっても、少なくとも光学部と中間部に均等に分散され、コンタクトレンズの一部が角膜に当接して局所的に応力が掛かからず、異物感が軽減されることにより、装用感が向上され得るのである。
【００５５】
上記に述べた本発明のコンタクトレンズの構成により、装用感が良く、かつ、高い涙液交換性により角膜へ十分な酸素を供給されうるものであるが、本発明のコンタクトレンズにおいては、レンズの重量を軽量化して異物感を軽減して装用感を改善するために、また、角膜細胞の代謝活動を維持するために、コンタクトレンズ自体を透過して得る酸素の供給も不可欠であることから、コンタクトレンズの中心厚みは０．１ｍｍ〜０．２ｍｍであることが好ましい。
【００５６】
レンズの中心厚みとは、図２でレンズの中心厚み１３として示すように、レンズの光学部の中心部分（光学中心）の厚みを意味し、ＩＳＯ９３３９−１示される試験方法などにより測定することができる。
【００５７】
レンズの中心厚みは、球面レンズの場合には、頂点屈折力（レンズの屈折度のことを意味する）の値が小さくなるに従って、レンズの前面と後面との曲率の差が大きくなってくるため、必然的にレンズの周辺部の厚みが大きくなる。したがって、レンズ全体の厚みを薄くするために、中心厚みを薄くしたとしても、周辺部の厚みによってレンズの強度は保持される。一方、頂点屈折力の値が大きくなるに従って、レンズの前面と後面との曲率の差が小さくなるため、レンズ全体の厚みを薄くするために中心厚みを薄くすると、周辺部の厚みも薄くなり、レンズの強度低下を生じる。したがって、中心厚みは、頂点屈折力の値やコンタクトレンズ素材の強度などを考慮して選択的に決定されるべきものであるが、コンタクトレンズの中心厚が０．１ｍｍ未満の場合には、使用に耐えうるレンズの強度を得られず、レンズが破損する場合がある。また、コンタクトレンズの中心厚が０．２ｍｍを超える場合には、コンタクトレンズ自体を透過して得る酸素の供給が十分に得られず、角膜の機能を維持することが困難となる場合がある。
【００５８】
本発明のコンタクトレンズにおいては、光学部径は、コンタクトレンズ装用状態下において、レンズを広い範囲で角膜に近似させて安定性を高めることにより装用感を向上させ、かつ、コンタクトレンズの装用によって得られる視力矯正された視野が広く得られるように６．０ｍｍ〜８．５ｍｍに設定されることが好ましい。
光学部径とは、図１および図２に光学部径１４として示すとおり、レンズ後面の光学部の直径を意味し、ＩＳＯ９３３８に示される試験方法などにより測定することができる。
【００５９】
また、本発明のコンタクトレンズにおいては、レンズ前面は、光学部において、装用者に応じて要求される前記の頂点屈折力をコンタクトレンズに付与し得るように、例えば公知の光学計算式に基づいて、或いは光線追跡法等に基づいて決定されており、例えば実質的に全面に渡って曲率半径が一定とされた球面形状や、径方向に段階的に乃至は連続的に曲率半径が異なった非球面形状など、光学部のレンズ後面の形状や、必要に応じて角膜の表面形状を考慮して、曲率や光学部径などが決定されるものである。そのため、光学部のレンズ前面の形状は特に限定されるものではないが、コンタクトレンズの装用によって得られる視力矯正された視野が広く得られるようにする必要がある。特に、球面レンズの場合には、頂点屈折力の値が小さくなるに従って、レンズの前面と後面との曲率の差が大きくなり、必然的にレンズの周辺部の厚みが大きくなるため、周辺部の厚みが大きくなることを抑えてレンズ全体の厚みが薄くなるようすることと、レンズ全体の厚みにより得られるレンズの強度を考慮して、頂点屈折力とコンタクトレンズ素材の強度などに応じて決定する必要がある。
【００６０】
本発明のコンタクトレンズにおいては上述のように、光学部径は６．０ｍｍ〜８．５ｍｍの範囲で定めることが好ましい。
【００６１】
光学部径を上記範囲とすることによる効果のうち、後面の寄与する効果については上述したが、前面の寄与する効果として、以下のようなものがある。
【００６２】
光学部径が６．０ｍｍ未満の場合には、コンタクトレンズの装用によって得られる視力矯正された視野が広く得られないことがある。
【００６３】
また、光学部径が８．５ｍｍを超える場合には、レンズ前面におけるレンズ径方向の中間部と周辺部の幅が狭くなり、レンズ周辺部の厚みが厚くなることによって、レンズ中心部とレンズ周辺部に厚み差が生じて、装用感が悪くなる傾向にある。また、レンズ前面におけるレンズ径方向の中間部と周辺部の幅が狭くなることによって、レンズ前面の中間部とレンズ前面の光学部との間に急激な曲率変化点が生じ、瞬目時に眼瞼がかかる曲率変化点と接触した際に刺激を感じて装用感が悪くなるの曲率差が大きくなり、装用感が悪くなる傾向にある。
【００６４】
また、図２に示すようにコンタクトレンズの縦断面形状において略半円形状の外周端縁部でレンズ後面とレンズ前面を接続させるため、レンズ前面の中間部から周辺部にかけては全面に渡って曲率半径が一定とされた球面形状や、径方向に段階的にまたは連続的に曲率半径が異なった非球面形状によって形状をつくることが好ましい。この場合、後面のレンズ中央部の球面部分の平面投射径よりも前面のレンズ中央部の球面部分の平面投射径を小さくしても良く、この場合は前面のレンズ中央部の球面部分の平面投射径が光学径となる。
【００６５】
なお、本発明のコンタクトレンズの材質は特に限定されるものではないが、ガス透過性のもの（ＲＧＰＬ）を用いることが好ましく、より好ましくは、コンタクトレンズ材料の酸素透過性が１３６×１０−１１ｍＬＯ２・ｃｍ２／ｃｍ３・ｓｅｃ・ｍｍＨｇ〜１６４×１０−１１ｍＬＯ２・ｃｍ２／ｃｍ３・ｓｅｃ・ｍｍＨｇであることが好ましい。
【００６６】
ここでいう酸素透過係数とは、重合体への酸素の溶解度係数と重合体中の酸素の拡散係数との積で表され、ＩＳＯ９９１３−１、ＩＳＯ９９１３−２に示される試験方法で測定することが出来るが、具体的には、電極法にて測定条件が印過電圧０．７Ｖ、３７℃の蒸留水浸漬により測定された値を用いる。
【００６７】
コンタクトレンズ材料の酸素透過係数が１３６×１０−１１ｍＬＯ２・ｃｍ２／ｃｍ３・ｓｅｃ・ｍｍＨｇ未満の場合には、角膜に生理学的に充分な酸素を供給することが困難となり、角膜での酸素不足が生じ、眼障害に至る可能性がある。また、重合体の酸素透過係数が１６４×１０−１１ｍＬＯ２・ｃｍ２／ｃｍ３・ｓｅｃ・ｍｍＨｇよりも高くなると、耐汚染性や耐久性が低下する傾向にある。
【００６８】
また、上記本発明のコンタクトレンズに用いる、ハードコンタクトレンズ、好ましくは酸素透過性に使用されている公知のものの中から適宜選択して用いればよいが、酸素透過係数を高くする観点から、フッ素系モノマーを含有するもの（例えば、東レ株式会社製”ブレスオーハード”（登録商標）に用いられるもの）が好ましい。
【００６９】
上記に述べたコンタクトレンズの具体的な製造方法としては、成形型を用いたモールド成形の他、切削研磨加工など公知の方法によって有利に製造され得る。
【実施例】
【００７０】
以下に本発明について実施例などにより具体的に説明するが、本発明はそれにより何ら限定されない。以下の例において、装用感、装用時のレンズの動きおよび涙液交換性は次のようにして測定または評価した。
（１）コンタクトレンズの装用感：以下の例で得られたコンタクトレンズを、１０名のモニター（コンタクトレンズの装用経験者）に装用してもらい、異物感や違和感および乾燥感の有無をそれぞれ判定してもらい、異物感や違和感がないとしたモニターの合計数および異物感や違和感があるとしたモニターの合計数、並びに乾燥感がないとしたモニターの合計数および乾燥感があるとしたモニターの合計数をそれぞれ求めた。
（２）コンタクトレンズの装用時のフィティング安定性：以下の例で得られたコンタクトレンズを、１０名の被験者（コンタクトレンズの装用経験者）に装用してもらい、装用から３０分後、瞬目後の角膜に対するコンタクトレンズの安定位置において、スリットランプを用いて角膜中心とコンタクトレンズ中心の距離を計測した。距離が０．５ｍｍ未満の場合は中心安定であり良好、０．５ｍｍ以上の場合を中心安定ではなく不良と判定した。
（３）コンタクトレンズの装用時の涙液交換性：以下の例で得られたコンタクトレンズを、１０名の被験者（コンタクトレンズの装用経験者）に装用してもらい、装用から１ヶ月後、角膜の損傷やステイニングなど涙液交換不足に起因する合併症の有無を観察した。角膜の損傷およびまたはステイングなど涙液交換不足に起因する合併症が無い場合を良好、ある場合を不良と判定した。
【００７１】
実施例１〜３
（１）１リジントリイソシアネートの中に存在する２個のイソシアネートに２ヒドロキシエチルメタクリレートを、１個のイソシアネートにＯＨ基含有変性ポリジメチルシロキサンを合成させた二重結合変性ポリジメチルシロキサン４０ｇ、トリフルオロエチルメタクリレート２５ｇとメチルメタクリレート３０ｇとトリメチロールプロパントリメタクリレート５ｇを調合し、さらに、トリフルオロエチルメタクリレートとメチルメタクリレートの重量に対して、１ｗｔ％の２、２−アゾビスイソブチロニトリルを添加して、ポリプロピレン製試験管（容量２０ｍｌ）に入れて、窒素置換後に密封した。これを５０℃の恒温水槽中に２４時間浸漬した後、１１０℃の熱風循環式加熱装置に移して２時間保持して、重合を完結させた。冷却後に、試験管からフッ素含有メタクリレート・ケイ素含有メタクリレート系共重合体（ガス透過性コンタクトレンズ材料）を取り出した。
（２） 上記（１）で得られたガス透過性コンタクトレンズ材料を切削研磨加工して、図２に示す形状で、下記表１に示す各部寸法および度数を有するコンタクトレンズをそれぞれ製造した。
（３）上記（２）で得られたコンタクトレンズの酸素透過係数の算出並びに装用感（違和感、乾燥感）、装用時のフィティング安定性および涙液交換性の評価を上記した方法で行ったところ、下記の表２に示すとおりであった。
【００７２】
比較例
（１）１リジントリイソシアネートの中に存在する２個のイソシアネートに２ヒドロキシエチルメタクリレートを、１個のイソシアネートにＯＨ基含有変性ポリジメチルシロキサンを合成させた二重結合変性ポリジメチルシロキサン３５ｇ、トリフルオロエチルメタクリレート２８ｇとメチルメタクリレート３２ｇとトリメチロールプロパントリメタクリレート５ｇを調合し、さらに、トリフルオロエチルメタクリレートとメチルメタクリレートの重量に対して、１ｗｔ％の２、２−アゾビスイソブチロニトリルを添加して、ポリプロピレン製試験管（容量２０ｍｌ）に入れて、窒素置換後に密封した。これを５０℃の恒温水槽中に２４時間浸漬した後、１１０℃の熱風循環式加熱装置に移して２時間保持して、重合を完結させた。冷却後に、試験管からフッ素含有メタクリレート・ケイ素含有メタクリレート系共重合体（ガス透過性コンタクトレンズ材料）を取り出した。
（２） 上記（１）で得られたガス透過性コンタクトレンズ材料を切削研磨加工して、図３に示すように、平面図において略円形をなす光学部の周囲に環状の周辺部を有するコンタクトレンズであって、該周辺部のレンズ後面における径方向の少なくとも一部に、径方向断面でレンズ内方に凸となる湾曲面をもって周方向に延びる湾曲凸部を有し、前記光学部と前記周辺部の間に環状の中間部を有し、該中間部のレンズ後面における径方向の少なくとも一部に、径方向断面でレンズ内方に凸となる湾曲面をもって周方向に延びる湾曲凸部を有し、下記の表１に示す各部寸法および度数を有するコンタクトレンズを製造した。
（３）上記（２）で得られたコンタクトレンズの酸素透過係数の算出並びに装用感（違和感、乾燥感）、装用時のフィティング安定性および涙液交換性の評価を上記した方法で行ったところ、下記の表２に示すとおりであった。
表１および表２の結果から、実施例１〜３のコンタクトレンズは装用感に優れており、装用したときに異物感・違和感および乾燥感がないことがわかる。また、コンタクトレンズ装用時の視力の安定性に密接に関与するフィティング安定性も、距離が０．５ｍｍ未満と良好である。さらに角膜への酸素の供給に密接に関与する涙液交換性に関しても、合併症の発生無く、良好であった。
これに対して、表１および表２の結果から、比較例のコンタクトレンズでは、レンズの異物感・違和感および乾燥感を訴えるモニターが増加して装用感が低下するとともに、フィティング安定性も不良であり、さらに涙液交換不足に起因する合併症も観察され、不良であった。
【００７３】
【表１】
2007241233.tif 000003
【００７４】
【表２】
2007241233.tif 000004
【図面の簡単な説明】
【００７５】
【図１】本発明に係るコンタクトレンズの一実施形態を示す概略平面図である。
【図２】図１に示したコンタクトレンズのＡ−Ａ断面図である。
【図３】比較例のコンタクトレンズの形状を示す概略断面図である。
【符号の説明】
【００７６】
１  レンズ中心軸
２  光学部
３  中間部
４  周辺部
５  エッジ部
６  コンタクトレンズ外径
７  レンズ端部におけるレンズ後面の光学部球面からの最大乖離量
８  レンズ端部からレンズの中心方向に０．４ｍｍ〜０．５ｍｍ内側である位置
９  レンズ端部からレンズの中心方向に０．４ｍｍ〜０．５ｍｍ内側である位置におけるレンズ後面の光学部球面からの最大乖離量
１０  レンズ中心軸と平行な線
１１  ベースカーブの延長線
１２  レンズ中心軸と平行な線
１３  レンズ中心厚み
１４  光学部径
【図１】
2007241233.tif 000005
【図２】
2007241233.tif 000006
【図３】
2007241233.tif 000007